(57)【要約】【課題】  同一の呼出ボタンユニットを携帯用および壁設置用の両方に共用可能な壁掛型緊急通報システムを提供することにある。【解決手段】  壁掛型緊急通報システムであって、防水機能を有する呼出ボタンユニットと、前記呼出ボタンユニットを収納する壁掛収納ユニットで構成され、前記呼出ボタンが押下された場合に当該押下に伴うエネルギーの一部を電力に変換する発電手段と、前記変換された電力により所定の宛先へ緊急通報に係る無線信号を発信する緊急通報信号発信手段を有することを特徴とする壁掛型緊急通報システム。【選択図】    図２
2017027177.tif 000002
【特許請求の範囲】
【請求項１】
防水機能を有する呼出ボタンユニットと、前記呼出ボタンユニットを収納する壁掛収納ユニットを含む壁掛型緊急通報システムであって、
前記呼出ボタンユニットは、緊急通報時に押下する呼出ボタンと、前記呼出ボタンが押下された場合に当該押下に伴うエネルギーの一部を電力に変換する発電手段と、前記変換された電力により所定の宛先へ緊急通報に係る無線信号を発信する緊急通報信号発信手段と、を有し、
前記壁掛収納ユニットは、前記呼出ボタンが露出する上ケースと、前記上ケースと嵌合し所定の壁に自壁掛収納ユニットを固定する構造を有する下ケースから構成され、
前記下ケースは、前記呼出ボタンユニットを収納する呼出ボタンユニット収納部と、前記呼出ボタンユニット収納部の所定の部位に形成された１以上の嵌合リブを有し、前記呼出ボタンユニット収納部の前記呼出ボタンユニットを収納する部位のサイズは、前記呼出ボタンユニットを円滑に収納するためのクリアランスを含むサイズであって、前記嵌合リブは前記呼出ボタンユニット収納部と前記収納した呼出ボタンユニットの前記クリアランスに対応したサイズの凸部を有することを特徴とする壁掛型緊急通報システム。
【発明の詳細な説明】
【技術分野】
【０００１】
本発明は、壁掛型緊急通報システムに関する。
【背景技術】
【０００２】
従来、壁掛設置する緊急通報機器（例えば、浴室に設置する防水型インターホン等）の壁掛構造は、緊急通報機器に壁掛設置用の嵌合穴と嵌合リブを設けるのが一般的であった（例えば、特許文献１）。
【０００３】
しかしながら、特許文献１に記載された緊急通報機器に設けられる壁掛構造は、壁掛設置用の嵌合穴と嵌合リブが凹凸形状である。よって、携帯用として用いる場合は手触り感が悪くなり、ユーザは違和感を生じることがある。そのため、壁掛設置用と携帯用を共用できず、ユーザは壁掛設置用と携帯用として複数の緊急通報機器が必要という問題がある。
【先行技術文献】
【特許文献】
【０００４】
【特許文献１】特開平６−２２０１５号公報
【発明の概要】
【発明が解決しようとする課題】
【０００５】
そこで、本発明は同一の緊急通報機器を携帯用および壁掛設置用の両方に共用可能な壁掛型緊急通報システムを提供することにある。
【課題を解決するための手段】
【０００６】
上記の課題を解決するために、本発明は、防水機能を有する呼出ボタンユニットと、前記呼出ボタンユニットを収納する壁掛収納ユニットを含む壁掛型緊急通報システムであって、前記呼出ボタンユニットは、緊急通報時に押下する呼出ボタンと、前記呼出ボタンが押下された場合に当該押下に伴うエネルギーの一部を電力に変換する発電手段と、前記変換された電力により所定の宛先へ緊急通報に係る無線信号を発信する緊急通報信号発信手段と、を有し、前記壁掛収納ユニットは、前記呼出ボタンが露出する上ケースと、前記上ケースと嵌合し所定の壁に自壁掛収納ユニットを固定する構造を有する下ケースから構成され、前記下ケースは、前記呼出ボタンユニットを収納する呼出ボタンユニット収納部と、前記呼出ボタンユニット収納部の所定の部位に形成された１以上の嵌合リブを有し、前記呼出ボタンユニット収納部の前記呼出ボタンユニットを収納する部位のサイズは、前記呼出ボタンユニットを円滑に収納するためのクリアランスを含むサイズであって、前記嵌合リブは前記呼出ボタンユニット収納部と前記収納した呼出ボタンユニットの前記クリアランスに対応したサイズの凸部を有することを特徴とする。
【発明の効果】
【０００７】
本発明によれば、同一の呼出ボタンユニットを携帯用および壁設置用の両方に共用可能な壁掛型緊急通報システムを提供できる。
【図面の簡単な説明】
【０００８】
【図１】本発明の実施の一形態に係る壁掛型緊急通報システムの斜視図
【図２】本発明の実施の一形態に係る壁掛型緊急通報システムの構成を示す分解図
【図３】図１の状態から上ケースを外した状態を示す図
【発明を実施するための形態】
【０００９】
以下に、壁掛型緊急通報システムを例に、図面を参照しながら、本発明の実施の一形態について説明する。ただし、以下の説明は、あくまでも本発明の例示にすぎず、以下の記載によって発明の技術的範囲が限定されるものではない。
【００１０】
図１は、本発明の実施の一形態に係る壁掛型緊急通報システム１の斜視図である。
壁掛型緊急通報システム１は防水機能を有する呼出ボタンユニット２と、前記呼出ボタンユニット２を収納する壁掛収納ユニット３と、から構成される。
【００１１】
図２は、本発明の実施の一形態に係る壁掛型緊急通報システム１の構成を示す分解図である。
【００１２】
呼出ボタンユニット２は、呼出ボタン４とスイッチユニット５で構成されている。緊急通報時、呼出ボタンユニット２に搭載された呼出ボタン４を押下されると、呼出ボタンユニット２に搭載されたスイッチユニット５に当該押下に伴うエネルギーを伝達する。スイッチユニット５は、当該押下に伴うエネルギーの一部を電力に変換する発電手段と、前記変換された電力により所定の宛先へ緊急通報に係る無線信号を発信する緊急通報信号発信手段を有する。その為、呼出ボタンユニット２は、呼出ボタン４を押下されることにより、自己発電すると共に無線信号を発信し、所定の宛先へ緊急通報ができる。
【００１３】
スイッチユニット５は自己発電可能の為、呼出ボタンユニット２は電池レスである。また、スイッチユニット５は無線信号を発信可能の為、呼出ボタンユニット２はコードレスである。その為、壁掛設置工事が簡単で、浴室への壁掛設置に適している。
【００１４】
上ケース６と下ケース７は、呼出ボタンユニット２を収納し、壁掛収納ユニット３を構成する筐体である。
【００１５】
上ケース６は、ボタン露出穴６０と嵌合爪６１が設けられている。下ケース７は、収納部７０と嵌合穴７１と壁掛穴７２が設けられている。
【００１６】
ボタン露出穴６０は、呼出ボタンユニット２が壁掛設置された時、呼出ボタン４を押下できる様、上ケース６の中央部に設けられている。
【００１７】
収納部７０は、呼出ボタンユニット２を収納する為、下ケース７の中央部、ボタン露出穴６０と対向する部位に設けられている。収納部７０のサイズは、前記呼出ボタンユニット２を円滑に収納するためのクリアランスを含むやや大きめのサイズとなっている。
【００１８】
嵌合爪６１は、それぞれ対向する位置に設けられた嵌合穴７１と嵌合し、呼出ボタンユニット２を保持する。
【００１９】
尚、本実施例において嵌合爪６１と嵌合穴７１は４辺に計８個を設けられているが、嵌合強度に応じて数は問わないものとする。
【００２０】
壁掛穴７２は、ねじを使用して下ケース７を壁に固定する為の貫通穴である。本発明は下ケース７の中央部上下２箇所に設けられているが、必要に応じて数は問わない。
【００２１】
尚、下ケース７の壁に固定する手段はねじ固定に限定せず、下ケース７の裏面に両面テープ等を使用し、壁に貼付けて固定しても良い。
【００２２】
図３（ａ）は、図１の状態から上ケース６を外した状態を示す図である。図３（ｂ）は、ア部（嵌合リブ７３）の詳細を示す図である。
【００２３】
嵌合リブ７３は、呼出ボタンユニット２のガタつきを無くす為に、前記収納部７０の上面両端に設けられている。
【００２４】
収納部７０のサイズは、呼出ボタンユニット２の外形サイズよりやや大きめのサイズとなっている為、呼出ボタンユニット２を収容時ガタつきが生じる。呼出ボタンユニット２のガタつきを無くす為、クリアランスに対応したサイズの嵌合リブ７３を設けられている。
【００２５】
尚、本実施例において、嵌合リブ７３は収納部７０の上面両端に２箇所に設けられているが、安定して収納可能であれば、嵌合リブの数、位置は問わない。
【００２６】
呼出ボタンユニット２は容易に下ケース７に収納、取出し可能の為、携帯用の呼出ボタンユニット２は一時的に浴室の壁掛設置もできる。
【００２７】
以上説明した通り、本発明によれば、同一の呼出ボタンユニットを携帯用および壁設置用の両方に共用可能な壁掛型緊急通報システムを提供できる。
【符号の説明】
【００２８】
１…壁掛型緊急通報システム、２…呼出ボタンユニット、３…壁掛収納ユニット、４…呼出ボタン、５…スイッチユニット、６…上ケース、７…下ケース、６０…ボタン露出穴、６１…嵌合爪、７０…収納部、７１…嵌合穴、７２…壁掛穴、７３…嵌合リブ
【図１】
2017027177.tif 000003
【図２】
2017027177.tif 000004
【図３】
2017027177.tif 000005